(57)【要約】【課題】刃を用いて剥離された場合に、剥離されたことが目視または簡易検証機にて、容易に確認できる機能を有する偽造防止ＩＣラベルを提供すること。【解決手段】熱可塑性樹脂からなる基材の片面に接着層を設け、前記接着層とは反対側に情報印刷層を設け、前記基材に設けた接着層により、少なくとも、外部の読み取り装置と非接触でデータの通信が可能な、アンテナとＩＣチップとからなる非接触ＩＣ媒体を接着させ、さらに、前記基材または前記接着層に蛍光色素を含有させる。【選択図】図１
2011238044.tif 000002
【特許請求の範囲】
【請求項１】
熱可塑性樹脂からなる基材の片面に接着層を設け、前記接着層とは反対側に情報印刷層を設け、前記基材に設けた接着層により、少なくとも、外部の読み取り装置と非接触でデータの通信が可能な、アンテナとＩＣチップとからなる非接触ＩＣ媒体を接着させ、さらに、前記基材または前記接着層に蛍光色素を含有させることを特徴とする偽造防止ＩＣラベル。
【請求項２】
熱可塑性樹脂からなる基材の片面に接着層を設け、前記接着層とは反対側に情報印刷層を設け、前記基材に設けた接着層により、少なくとも、外部の読み取り装置と非接触でデータの通信が可能な、アンテナとＩＣチップとからなる非接触ＩＣ媒体を接着させ、さらに前記非接触ＩＣ媒体上に粘着層を設けたＩＣラベルにおいて、前記基材または前記接着層または前記粘着層に、蛍光色素を含有させることを特徴とする偽造防止ＩＣラベル。
【請求項３】
熱可塑性樹脂からなる基材の片面に情報印刷層を設け、前記情報印刷層とは反対側に外部の読み取り装置と非接触でデータの通信が可能なアンテナとＩＣチップとからなる非接触ＩＣ媒体を設け、さらに前記非接触ＩＣ媒体を覆う様に粘着層を積層したＩＣラベルにおいて、前記基材または前記粘着層に、蛍光色素を含有させることを特徴とする偽造防止ＩＣラベル。
【請求項４】
前記蛍光色素がペリレン系化合物、ナフタルイミド系化合物、あるいは、ペリレン系化合物とナフタルイミド系化合物とを組み合わせたものである事を特徴とする請求項1から３のいずれか一項に記載の偽造防止ＩＣラベル。
【請求項５】
前記アンテナが、導電性粒子を樹脂バインダー中に分散させた導電性ペーストを用い、印刷にて設けられたことを特徴とする請求項１から４のいずれか一項に記載の偽造防止ＩＣラベル。
【請求項６】
前記基材、または、前記接着層に、光反射性の粉体を分散させたことを特徴とする請求項１から５のいずれか一項に記載の偽造防止ＩＣラベル。
【請求項７】
前記基材と前記接着層の間に、反射層を設けたことを特徴とする請求項１から６のいずれか一項に記載の偽造防止ＩＣラベル。
【請求項８】
前記基材、および、前記非接触ＩＣ媒体の支持体にスリットを設けたことを特徴とする請求項１から７のいずれか一項に記載の偽造防止ＩＣラベル。
【発明の詳細な説明】
【技術分野】
【０００１】
本発明は、商品やその包装物に貼り付けて使用する非接触ＩＣ媒体を具備した封印ラベルであり、商品やその包装物から剥がそうとした際にその痕跡を残す偽造防止ＩＣラベルに関する。
【背景技術】
【０００２】
従来、重要書類や貴重品等を保管する保管容器を封印したり、商品の未使用を証明したりするために封印ラベルが用いられてきた。封印ラベルには、不正に封印ラベルが剥離されることを防止するための様々な工夫がなされ、封印ラベルを剥離した場合に剥離したことの証となる文字等の剥離表示が出現する機能が提案が示されている（特許文献１）。
【０００３】
また、ラベルにＩＣチップを設け、これを商品等に貼付して在庫管理等を効率よく正確に行う技術が提案、実現されている。ラベルには、ＩＣチップのアンテナ回路の外周に切り欠きやミシン目を入れてあり、この易破断性のアンテナ回路が破断検出センサとして働き、商品等に貼付された後にラベルの不正な貼り替えを検知できるようにしている（特許文献２）。
【０００４】
しかし、上述のようなラベルでは、改ざんされたことが目視にて可能となるため、不正貼り替えの手段を変え、ラベルに接着剤等を溶かす溶剤等を塗布したり、温風をあてたり、刃をラベルと被着体の間に入れて剥がしたりすることで、ラベル基材等を破損することなく剥離しようとし、結果的には破損することなく剥離することが可能となる。
【０００５】
そのため、外見上は不正に剥がされた痕跡が残らず、改ざんされたことが分からないという恐れがあり、ＩＣチップを用いたラベルでは、正規のラベルからＩＣチップを取り外し、その取り外したＩＣチップを偽造したラベルに内包することで、不正なラベルを容易に使用することができてしまうという問題点がある。
【先行技術文献】
【特許文献】
【０００６】
【特許文献１】特開２００３−２５５８３８号公報
【特許文献２】特開２００６−３９６４３号公報
【発明の概要】
【発明が解決しようとする課題】
【０００７】
本発明は、かかる従来技術の問題点を解決するものであり、その課題とするところは、刃を用いて剥離された場合に、剥離されたことが目視または簡易検証機にて、容易に確認できる機能を有する偽造防止ＩＣラベルを提供することにある。
【課題を解決するための手段】
【０００８】
上記の課題を解決するための手段として、請求項１に記載の発明は、熱可塑性樹脂からなる基材の片面に接着層を設け、前記接着層とは反対側に情報印刷層を設け、前記基材に設けた接着層により、少なくとも、外部の読み取り装置と非接触でデータの通信が可能な、アンテナとＩＣチップとからなる非接触ＩＣ媒体を接着させ、さらに、前記基材または前記接着層に蛍光色素を含有させることを特徴とする偽造防止ＩＣラベルである。
【０００９】
また、請求項２に記載の発明は、熱可塑性樹脂からなる基材の片面に接着層を設け、前記接着層とは反対側に情報印刷層を設け、前記基材に設けた接着層により、少なくとも、
外部の読み取り装置と非接触でデータの通信が可能な、アンテナとＩＣチップとからなる非接触ＩＣ媒体を接着させ、さらに前記非接触ＩＣ媒体上に粘着層を設けたＩＣラベルにおいて、前記基材または前記接着層または前記粘着層に、蛍光色素を含有させることを特徴とする偽造防止ＩＣラベルである。
【００１０】
また、請求項３に記載の発明は、熱可塑性樹脂からなる基材の片面に情報印刷層を設け、前記情報印刷層とは反対側に外部の読み取り装置と非接触でデータの通信が可能なアンテナとＩＣチップとからなる非接触ＩＣ媒体を設け、さらに前記非接触ＩＣ媒体を覆う様に粘着層を積層したＩＣラベルにおいて、前記基材または前記粘着層に、蛍光色素を含有させることを特徴とする偽造防止ＩＣラベルである。
【００１１】
また、請求項４に記載の発明は、前記蛍光色素がペリレン系化合物、ナフタルイミド系化合物、あるいは、ペリレン系化合物とナフタルイミド系化合物とを組み合わせたものである事を特徴とする請求項1から３のいずれか一項に記載の偽造防止ＩＣラベルである。
【００１２】
また、請求項５に記載の発明は、前記アンテナが、導電性粒子を樹脂バインダー中に分散させた導電性ペーストを用い、印刷にて設けられたことを特徴とする請求項１から４のいずれか一項に記載の偽造防止ＩＣラベルである。
【００１３】
また、請求項６に記載の発明は、前記基材、または、前記接着層に、光反射性の粉体を分散させたことを特徴とする請求項１から５のいずれか一項に記載の偽造防止ＩＣラベルである。
【００１４】
また、請求項７に記載の発明は前記基材と前記接着層の間に、反射層を設けたことを特徴とする請求項１から６のいずれか一項に記載の偽造防止ＩＣラベルである。
【００１５】
また、請求項８に記載の発明は、前記基材、および、前記非接触ＩＣ媒体の支持体にスリットを設けたことを特徴とする請求項１から７のいずれか一項に記載の偽造防止ＩＣラベルである。
【発明の効果】
【００１６】
本発明は、蛍光色素を含んでなる基材に負荷をかけて傷をつけたのちに、紫外線を照射すると目視では見えにくい傷つき部分が蛍光により強く光るために痕跡を発見することが容易になることを見出したことによる。この現象は隣接する層に蛍光色素を含有させても良く、基材の傷つき部分の痕跡が強く蛍光を反射するために痕跡を発見することができる。
【００１７】
さらには本発明では、外部の読み取り装置と非接触でデータ通信が可能なアンテナとＩＣチップが設けられているため、在庫管理ができるだけでなく、真偽判定も可能とすることができる。また基材にスリットを設けて、脆質性を向上させることにより、剥離することを不可能にすることもできる。
【図面の簡単な説明】
【００１８】
【図１】本発明の偽造防止ＩＣラベルの一実施形態の断面を表した概念図である。
【図２】本発明の偽造防止ＩＣラベルの一実施形態の平面を表した概念図である。
【図３】本発明の偽造防止ＩＣラベルの一実施形態に紫外線を照射した時の通常状態での観察画像を説明する平面概念図である。
【図４】本発明の偽造防止ＩＣラベルの一実施形態を不正に剥離し、別の被着体に貼付した後、偽造防止ラベルに紫外線を照射した時の観察画像を説明する平面概念図である。
【図５】本発明の偽造防止ＩＣラベルの一実施形態であり、接着層、光反射性の粉体、反射層をより詳細に表した概念図である。
【発明を実施するための形態】
【００１９】
以下、図面に従い、本発明に係わる偽造防止ＩＣラベル１およびこれを用いた剥離検知方法について詳しく説明する。図１は、本発明の偽造防止ＩＣラベル１の一実施形態の断面を表し、図２はその平面を表した概念図であり、偽造防止ＩＣラベル１は、基材１１、接着層１２、または基材１１および接着層１２に、蛍光色素を含有している。
【００２０】
さらに、基材１１の片面に、情報印刷層２１が設けられ、基材１１の情報印刷層２１とは反対側の面に、接着層１２が設けられ、これによりＩＣチップ５１、および、アンテナ５２と、これらの支持体５３からなる非接触ＩＣ媒体５０が基材１とを接着し、これらを覆うように粘着層３１が設けられている。この偽造防止ＩＣラベル１には離型紙６１が仮粘着され、基材１１、および、支持体５３には、法線方向にスリット４１を形成する。
【００２１】
図３は、本発明の偽造防止ＩＣラベルの一実施形態に紫外線を照射した時の通常状態での観察画像を説明する平面概念図であり、図４は、本発明の偽造防止ＩＣラベル１の一実施形態を不正に剥離し、別の被着体に貼付した後、偽造防止ラベル１に紫外線を照射した時の観察画像を説明する平面概念図である。一度商品に貼られたものを、剥離しようとする時に偽造防止ラベル１に負荷がかかり、その部分は、紫外線を照射すると蛍光により強く光るために剥離した痕跡７１としてを発見することができる。
【００２２】
図５は接着層１２、光反射性の粉体１３、反射層１４をより詳細に表した概念図であり、基材１１には光反射性の粉体１３が含まれており、さらに基材１１と接着層１２の間に反射層１４を設けた構成を示している。紫外線により発した蛍光は光反射性の粉体１３および反射層１４により発光の効果が高まり、剥離しようとした時に偽造防止ラベル１にかかった負荷部分をより鮮明に光らせることができる。
【００２３】
以下に本発明の偽造防止ＩＣラベル１を構成する各層の材料や形成方法について、具体的に説明する。熱可塑性樹脂からなる透明でスリットを設けた基材１１の種類としては、貼り替え防止の観点から、共に脆性を有するフィルムが好ましく、セルロースアセテート、低密度ポリエチレン、ポリスチレン、ポリフェニレンサルファイドなどの高結晶性プラスチック素材を溶液成膜からフィルム化したものがあげられるが、これに限定するものではない。
【００２４】
痕跡を鮮明に見せるために、基材１１に含有させる蛍光色素としては、ペリレン系化合物、ナフタルイミド系化合物、あるいは、これら化合物を混合したものが好ましい。他の蛍光色素を使用しても良いが、ペリレン系化合物、ナフタルイミド系化合物を用いることで、傷ついた部分のはより強調されて見える。この化合物の添加量としては、０．００１質量％〜５．０００質量％が好ましいが、０．０１質量％〜０．０５質量％であることがより望ましい。
【００２５】
上記蛍光色素の効果を高めるために、基材１１、または、接着層１２に光反射性の粉体１３を分散させると良い。分散させる光反射性の粉体１３としては、酸化チタン、酸化亜鉛、酸化鉄等の無機顔料、または、マイカ等のフレークに酸化物を被覆したパール顔料を使用することが好ましいが、有機顔料、有機染料、炭酸カルシウム、タルク、シリカ等の体質顔料でも良い。
【００２６】
また蛍光色素の効果を高めるために、基材１１と接着層１２の間に、光反射層１４を設けても良い。光反射層１４は、ＺｎＳやＴｉＯ２等を蒸着により設けても、酸化チタン等の金属酸化物等を含む樹脂層をグラビア印刷やスクリーン印刷等の既知の印刷方法にて設
けても良い。
【００２７】
情報印刷層２１は、偽造防止ＩＣラベル１に必要な情報や、マーク、デザイン、偽造防止に必要な地紋等であり、印刷にて設けることができる。印刷法としては、オフセット印刷、グラビア印刷、スクリーン印刷、フレキソ印刷等、既知の印刷方法であれば良く、これに限定しない。また、印刷に用いるインキは通常に使用されるインキを使用できる。
【００２８】
アンテナ５２は印刷で設けることにより破戒し易くできるが、スリット４１を設けることにより、スリット４１をきっかけにして偽造防止ＩＣラベル１がさらに破断されやすくなる。また偽造防止ＩＣラベル１自体が破断されなくてもアンテナが破断されるため、通信ができなくなり、不正物品等に貼り替えるといった不正使用を不可能にすることができる。
【００２９】
また、光反射性の粉体１３を基材１１、または、接着層１２に分散させることにより、含有されている蛍光色素が励起して発光する光を、光反射性の粉体１３が反射、散乱させるため、蛍光体による発光の効果を高めることができる。
【００３０】
また、上記効果は基材１１と接着層１２の間に光反射層１４を設けることでも得られる。含有されている蛍光色素が励起して発光が光反射層１４により反射する。さらに、基材１１に光反射性の粉体１３を含有させると、光反射層14の効果に加え、光反射性の粉体１３による反射、散乱により発光の効果をさらに高めることができる。
【００３１】
粘着層３１は、塩化ビニル−酢酸ビニル共重合体、ポリエステル系ポリアミド、アクリル系、ブチルゴム系、天然ゴム系、シリコン系、ポリイソブチル系の粘着剤を単独で、もしくは、アルキルメタクリレート、ビニルエステル、アクリルニトリル、スチレン、ビニルモノマー等を凝集成分とし、これらに不飽和カルボン酸、ヒドロキシ基含有モノマー、アクリルニトリル等の改質成分や重合開始剤、可塑剤、硬化剤などの添加物を加えたものが使用できる。粘着層３１は、ＩＣチップ５１、および、アンテナ５２、これらの支持体５３を覆うように形成する。
【００３２】
被着体から偽造防止ＩＣラベル１を引き剥がす際の、粘着剤３１の接着力に関しては、その粘着力を、ＪＩＳ Ｚ０２３７基準の８０００ｍＮ／２５ｍｍに設定することが好ましく、偽造防止ＩＣラベル１自体の破断力以上は必要であるため、８０００ｍＮ／２５ｍｍ以上３００００ｍＮ／２５ｍｍ以下であることが望ましい。
【００３３】
ＩＣチップ５１、および、アンテナ５２、支持体５３から無線により通信を行うための非接触ＩＣ媒体５０が形成されている。非接触ＩＣ媒体５０は、ＩＣチップ５１は駆動電池を持たないパッシブ型のものである。なお、パッシブ型に代えて、ＩＣチップ５１の駆動電池を有するアクティブ型とすることもできる。この場合には、非接触ＩＣ媒体５０グの構造は煩雑化するが、読み取り距離が伸張する効果がある。
【００３４】
この非接触ＩＣ媒体５０は、図１および図２に示すように、支持体５３によって、基材１１に貼り付けられている。この非接触ＩＣ媒体５０はアルミや銅などの金属形成されたアンテナ５２とこのアンテナ５２の長手方向の中央部に搭載され、アンテナ５２に電気的に接続されたＩＣチップ５１とを備えている。
【００３５】
しかし、支持体５３を設けずに、基材１１に、アンテナ５２を直接印刷してもうけることも可能である。その場合、アンテナ５２は、導電性粒子が樹脂バインダーに分散された導電性ペーストで、所望の形状に印刷して形成される。印刷方法としては、例えば、スクリーン印刷法、フレキソ印刷、インクジェット印刷等の公知の各種印刷方法を使用するこ
とができる。
【００３６】
このアンテナ５２は、帯状に延ばされて形成されていて、例えば、送受信される電波がマイクロ波以上の周波数を有する時、使用周波数の波長をλとすると、アンテナ５２の長手方向の長さをλ／２近傍に設定すると、電波の送受信効率の良いダイポール形アンテナとして形成可能である。また、例えば、電波の使用周波数を２．４５ＧＨｚとすると、ダイポール型におけるアンテナ５２の長手方向の最適長さは、約４０ｍｍ〜６０ｍｍ程度である。
【００３７】
上記非接触ＩＣ媒体５０を構成するＩＣチップ５１は、正方形状に形成されており、その辺部の長さ寸法が０．５ｍｍ、高さ寸法が０．１ｍｍとされている。なお、辺部の長さ寸法は、０．５ｍｍに代えて、適宜変更可能である。さらにまた、ＩＣチップ５１の形状は、例えば長方形状などのように、適宜変更可能である。この場合も、辺部の長さ寸法を０．０５ｍｍから０．５ｍｍの範囲とすることが好ましい。
【００３８】
なお、このような寸法のＩＣチップ５１は、例えば、幅０．４ｍｍ、奥行き０．４ｍｍ、高さ０．１ｍｍ程度という寸法にて、日立製作所製のミューチップ（ＴＭ）で既に実現されており、技術的にそのようなＩＣチップ５１を量産製造することが可能であることが周知となっている。
【００３９】
偽造防止ＩＣラベル１は、離型紙６１に仮粘着され、その上から、スリット４１を設ける。スリット４１は、法線方向に垂直に少なくとも、基材１１に設けられるが、偽造防止ＩＣラベル１自体を破断させるために、支持体５３にも設けられていることが望ましい。離型紙６１、および、ＩＣチップ５２、アンテナ５２に突き抜けなければ良く、その他の情報インキ印刷層２１や粘着層３１にも突き抜けても問題はない。
【実施例】
【００４０】
まず、ポリカーボネートに蛍光色素（ＢＡＳＦ株式会社製  ルモゲンＦ  Ｒｅｄ３００）を０．０２質量％の割合で樹脂温度３００℃で溶融温度３００℃で混練して、ペレットを得、このペレットをＴ-ダイ押出機を用いて、３００℃で溶融押出して厚さ１５０μｍの基材１１を得て、表面に、５μｍのスクリーンインキ（東洋インキ製造株式会社製  ＳＳ８ ９１１墨）、を用い、スクリーン印刷機を用いて、情報印刷層２１を得た。
【００４１】
さらに、厚み１９μｍのＰＥＴフィルムを支持体５３として、その上にアルミニウム薄膜のアンテナ５２をエッチングにより形成し、周囲に４ｍｍ間隔にスリット４１を入れた。このアンテナ５２と金製のバンプを持つＩＣチップ５１との接続面に異方導電性接着剤を用いて熱圧着することによって接合して、非接触ＩＣ媒体５０を作製した。
【００４２】
この非接触ＩＣ媒体５０を基材１１に接着層１２を塗工視、その上に非接触ＩＣ媒体５０を接着させ、その上を覆うように、１２０００ｍＮ／２５ｍｍの粘着力を持ち、かつ、酸化チタンを３０質量％分散したアクリル系の粘着材を塗布した。クラフト紙の片面にポリエチレンをラミネートし、その上にシリコン処理した厚み１１２μｍの離型紙６１に仮粘着し、図３に示すように長さ３ｍｍ、深さ１．５ｍｍのスリット４１を設け、偽造防止ＩＣラベル１を得た。
【００４３】
上記で得た本発明の偽造防止ＩＣラベル１を被着体に添付し、各剥離方法にて剥離を試みた。偽造防止ＩＣラベル１を端から慎重に削るようにして剥離しようとしたところ、ラベルがスリット部分から破断した。さらに、慎重に削るように剥離し、別の被着体に貼付した。剥離していない偽造防止ＩＣラベルに紫外線を照射すると、図３のように、端面およびスリット部分が強く発光したが、別の被着体に貼付した偽造防止ＩＣラベルに紫外線
を照射すると、図４のように、端面とスリット部分の他に、刃をあてた部分の発光が強く観察された。偽変造が行なわれたことを確認できた。
【符号の説明】
【００４４】
１・・・偽造防止ＩＣラベル
１１・・・基材
１２・・・接着層
１３・・・光反射性の粉体
１４・・・反射層
２１・・・情報印刷層
３１・・・粘着層
４１・・・スリット
５０・・・非接触ＩＣ媒体
５１・・・ＩＣチップ
５２・・・アンテナ
５３・・・支持体
６１・・・離型紙
７１・・・剥離した痕跡
【図１】
2011238044.tif 000003
【図２】
2011238044.tif 000004
【図３】
2011238044.tif 000005
【図４】
2011238044.tif 000006
【図５】
2011238044.tif 000007